(57)【要約】【課題】高さの異なる機器収容用ラックであっても、迅速かつ容易に仕切体を設けることができ、長期間にわたって効果的に機器を冷却することができる電算機室用空調システムを提供すること。【解決手段】電算機室内において床下に内部空間を有する通路を挟んで両側に設置され、前面から給気して上面又は背面から熱を帯びた空気を吹き出す機器収容用ラックと、空気調和装置とを備える電算機室用空調システムであって、前記機器収容用ラックの上面と前記電算機室の天井との間に、前記上面の上方空間と通路とを仕切る仕切体が設けられており、前記仕切体が、前記機器収容用ラックの高さ方向に伸縮可能であることを特徴とする。【選択図】図１
2010025451.tif 000002
【特許請求の範囲】
【請求項１】
電算機室内において床下に内部空間を有する通路を挟んで両側に設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記ラックに収容された機器を冷却した後、前記ラックの上方の空間を流動して前記空気調和装置に再び吸引される電算機室用空調システムであって、
前記機器収容用ラックの上面と前記電算機室の天井との間に、前記上面の上方空間と通路とを仕切る仕切体が設けられており、
前記仕切体が、前記機器収容用ラックの高さ方向に伸縮可能であることを特徴とする電算機室用空調システム。
【請求項２】
前記仕切体が、収容部の内部に巻回されて前記収容部から前記高さ方向に出没可能なロールスクリーン部を備えることを特徴とする請求項１に記載の電算機室用空調システム。
【請求項３】
隣り合う前記ロールスクリーン部の隙間を覆う遮蔽体を備えることを特徴とする請求項２に記載の電算機室用空調システム。
【請求項４】
前記仕切体が、収容部の内部に収容されて前記収容部から前記高さ方向に出没可能な蛇腹スクリーン部を備えることを特徴とする請求項１に記載の電算機室用空調システム。
【請求項５】
前記仕切体が、前記高さ方向に位置調節可能なブラインドを備えることを特徴とする請求項１に記載の電算機室用空調システム。
【請求項６】
前記仕切体が、前記高さ方向に相対移動可能な複数の板材を備えることを特徴とする請求項１に記載の電算機室用空調システム。
【発明の詳細な説明】
【技術分野】
【０００１】
本発明は、電算機室用空調システムに関する。
【背景技術】
【０００２】
従来、ある空間の空気の流れや温度を調整するための種々の空調システムが提案されている。
これら空調システムの中には、高集約化・高発熱化の傾向にあるＯＡ機器や通信装置等が設置される電算機室内において、機器周辺の空気の流れや温度を調整する電算機室用空調システムが知られている。
電算機室用空調システムとしては、所定空間を挟んで対向配置された複数の機器収容用ラックと、機器収容用ラックの側方であって、所定空間に対向配置された空気調和装置とを備えたものがある。
【０００３】
このような構成のもと、空気調和装置が、冷却用空気を下方に排出すると、その冷却用空気が所定空間に送られて、機器収容用ラックに吸い込まれる。そして、その冷却用空気は、機器収容用ラックに収容された機器を冷却することにより暖められた後、機器収容用ラックから吹き出される。そして、その暖められて吹き出された空気は、電算機室の上方空間を流動して、空気調和装置に吸い込まれて、再び冷却され排出される。
これにより、電算機室内の空気の流れや温度がコントロールされる。
【０００４】
ところが、暖められて機器収容用ラックから吹き出された空気の一部は、空気調和装置に送られることなく、上方空間からダイレクトに所定空間に還流されてしまう場合がある。その場合、所定空間に還流された空気は、暖められた状態のまま、再び機器収容用ラックに吸い込まれてしまうことにより、機器の冷却効率を低下させてしまう。
そこで、機器収容用ラックの上面に立て板を設置したり、対向する機器収容用ラックにわたって遮蔽板を取り付けたりすることにより、上方空間から所定空間への空気の流動を防止することが考えられる（例えば、特許文献１参照。）。
【特許文献１】特許第３８３５６１５号公報
【発明の開示】
【発明が解決しようとする課題】
【０００５】
しかしながら、上記のように立て板を設置する場合、機器収容用ラックの高さ寸法がそれぞれ異なっていると、立て板の高さ位置もそれぞれ異なることになり、上方空間から所定空間への空気の還流を有効に規制することができないという問題がある。なお、機器収容用ラックの高さ寸法に適合したサイズの立て板を取り付けることも考えられるが、この場合、それぞれの立て板の寸法を修正加工する必要があり、作業負担が大きくなってしまう。
また、遮蔽板を設置する場合、機器収容用ラックの高さ寸法が異なっても、所定空間の上方を覆うことにより、上記還流を規制することはできるものの、対向する機器収容用ラックが遮蔽板によって互いに固定されることから、地震などによる振動が加わると、遮蔽板や機器収容用ラックなどに過大な負荷がかかってしまうという問題がある。
【０００６】
本発明は、このような事情に鑑みてなされたものであって、高さ寸法の異なる機器収容用ラックであっても、機器収容用ラックの上面から天井にわたって、迅速かつ容易に仕切体を設けることができ、長期間にわたって効果的に機器を冷却することができる電算機室用空調システムを提供することを目的とする。
【課題を解決するための手段】
【０００７】
上記課題を解決するために、本発明は以下の手段を提供する。
本発明は、電算機室内において床下に内部空間を有する通路を挟んで両側に設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記ラックに収容された機器を冷却した後、前記ラックの上方の空間を流動して前記空気調和装置に再び吸引される電算機室用空調システムであって、前記機器収容用ラックの上面と前記電算機室の天井との間に、前記上面の上方空間と通路とを仕切る仕切体が設けられており、前記仕切体が、前記機器収容用ラックの高さ方向に伸縮可能であることを特徴とする。
【０００８】
また、本発明は、前記仕切体が、収容部の内部に巻回されて前記収容部から前記高さ方向に出没可能なロールスクリーン部を備えることを特徴とする。
【０００９】
また、本発明は、隣り合う前記ロールスクリーン部の隙間を覆う遮蔽体を備えることを特徴とする。
【００１０】
また、本発明は、前記仕切体が、収容部の内部に収容されて前記収容部から前記高さ方向に出没可能な蛇腹スクリーン部を備えることを特徴とする。
【００１１】
また、本発明は、前記仕切体が、前記高さ方向に位置調節可能なブラインドを備えることを特徴とする。
【００１２】
また、本発明は、前記仕切体が、前記高さ方向に相対移動可能な複数の板材を備えることを特徴とする。
【発明の効果】
【００１３】
本発明によれば、機器収容用ラックの高さ寸法に応じて、仕切体が高さ方向に伸縮することから、高さ寸法の異なる機器収容用ラックであっても、機器収容用ラックの上面から天井にわたって、迅速かつ容易に仕切体を設けることができ、長期間にわたって効果的に機器を冷却することができる。
【発明を実施するための最良の形態】
【００１４】
（実施形態１）
以下、本発明の第１の実施形態における電算機室用空調システムについて、図面を参照して説明する。
図１から図３に示す電算機室用空調システム１００は、箱状に形成された電算機室１０１において利用されるものである。
まず、電算機室１０１について説明する。
電算機室１０１には、床下に内部空間５を有する二重床２を備えている。二重床２には、長手方向に延びる通路４が形成されている。二重床２には、その厚さ方向に貫通する矩形状の長孔８が形成されている。そして、長孔８の縁部の全周には、この長孔８を覆う矩形板状の孔あきパネル７が嵌め込まれている。孔あきパネル７には、厚さ方向に貫通する複数の孔が形成されている。これにより、床下の内部空間５と通路４の空間とが、それら複数の孔を介して連通している。
【００１５】
次いで、電算機室１０１において利用される電算機室用空調システム１００について説明する。
電算機室用空調システム１００は、通路４を挟んで両側に対向配置されたラック（機器収容用ラック）３と、空気調和装置６とを備えている。
ラック３は、箱状に形成されており、通信装置等の各種機器を収容するものである。これらラック３は、通路４の長手方向に沿って複数配列されており、それぞれ高さ寸法が異なるものもある。ラック３は、互いに対向する対向面(前面３ｂ)に形成された給気口(不図示)から、通路４の空間の空気を給気し、給気した空気を上面３ａ又は背面の吹出口から上方又は後方に向けて吹き出すようになっている。
【００１６】
空気調和装置６は、箱状に形成されている。この空気調和装置６は、ラック３の側方であって、通路４の長手方向の一端又は両端に対向して配置されている。そして、空気調和装置６は、下面６ｂの吹出口から冷却用空気を吹き出し、電算機室１０１の上方空間を流動する空気を、その上面６ａの吸引口から吸引し、冷却した後、再び吹出口から吹き出すようになっている。
【００１７】
なお、本実施形態におけるラック３の上面３ａには、仕切装置１１が設けられている。
仕切装置１１は、図４に示すように、矩形シート状のロールスクリーン部（仕切体）１１１と、このロールスクリーン部１１１を収容する収容部１１２と、ロールスクリーン部１１１の先端辺の全長にわたって設けられた棒状のエンドレール１１３とを備えている。
ロールスクリーン部１１１は、例えばガラスクロスなどの不燃性部材からなるものである。このロールスクリーン部１１１は、収容部１１２内において巻回部１１４に巻回されている。巻回部１１４は、付勢部材などにより、ロールスクリーン部１１１を巻回する方向に付勢されている。
【００１８】
収容部１１２は、箱状に延ばされて形成されており、その上面には、長手方向にわたって延びるスリット１１２Ｓが形成されている。この収容部１１２は、ラック３の上面３ａのうち前縁部３ｃの近傍に、幅方向Ｗに向けられた状態で、アタッチメント１３を介して固定されている。収容部１１２の長手寸法は、ラック３の幅寸法と等しくなっており、ラック３の幅方向Ｗの全長にわたって収容部１１２が延ばされている。
エンドレール１１３は、スリット１１２Ｓの幅寸法よりも大径に形成されている。
このような構成のもと、ロールスクリーン部１１１は、巻回部１１４から巻き出されたり巻き取られたりすることにより、収容部１１２からスリット１１２Ｓを介して、ラック３の高さ方向Ｈに出没（伸縮）するようになっている。
【００１９】
また、ロールスクリーン部１１１には、ラック３の幅方向Ｗに隣り合う他のロールスクリーン部１１１との隙間を覆う矩形状の遮蔽シート(遮蔽体)１５が取り付けられるようになっている。遮蔽シート１５は、例えばガラスクロスなどの不燃性部材からなっている。さらに、遮蔽シート１５の短手方向の両端には、面ファスナー部１５ａが設けられており、この面ファスナー部１５ａにより、ロールスクリーン部１１１に着脱可能に取り付けられるようになっている。
さらに、図５及び図６に示すように、幅方向Ｗに隣り合うラック３の互いの高さ寸法が異なる場合には、上面３ａの高さ位置に差分ｄが生じることになる。そこで、差分ｄの分、遮蔽シート１５の一部を切断することにより、矩形状に切り欠かれ短手方向に没入する没入部１５ｂが遮蔽シート１５に設けられ、遮蔽シート１５が平面視してＬ状に形成される。そして、遮蔽シート１５が逆Ｌ字状に配され、没入部１５ｂが高い方のラック３の角に合わせられて、面ファスナー１５ａを介して、隣り合うロールスクリーン部１１１に跨って取り付けられる。
これにより、高さ寸法の異なるラック３が幅方向Ｗに隣接して設置されても、ラック３の上方空間と通路４の空間とが隙間なく仕切られる。
【００２０】
また、図７に示すように、ラック３の上方の天井Ｔには、エンドレール１１３を支持する固定金具１６が取り付けられている。
これにより、図８に示すように、ロールスクリーン部１１１を高さ方向Ｈに延ばして、エンドレール１１３を固定金具１６に固定することにより、ロールスクリーン部１１１が、ラック３の上面３ａから天井Ｔにわたって伸ばされた状態で保持されるようになっている。このとき、ロールスクリーン部１１１は、通路４に向けられて幅方向Ｗに延在することにより、ラック３の上方空間と、通路４の空間とを仕切るようになっている。
【００２１】
さらに、図１に示すように、二重床２の床上には、仕切装置１１ａが設置されている。仕切装置１１ａの構成は、サイズが異なる以外は仕切装置１１の構成とほぼ同じである。
すなわち、仕切装置１１ａは、ロールスクリーン部１１１ａと、収容部１１２ａと、エンドレール１１３ａとを備えている。
ただし、仕切装置１１ａは、上下逆にして取り付けられている。すなわち、収容部１１２ａは、通路４の長手方向の端部と空気調和装置６との間の天井Ｔに、ラック３の奥行方向Ｄに向けられて設置されている。
ロールスクリーン部１１１ａの幅寸法は、通路４の短手方向の幅寸法と等しくなっている。
これにより、二重床２に設けられた固定金具１６にエンドレール１１３ａを固定すると、通路４の端部が遮蔽され、通路４の空間と空気調和装置６の設置空間とが仕切られるようになっている。
【００２２】
次に、このように構成された本実施形態における電算機室用空調システム１００の作用について説明する。
電算機室１０１において、ラック３に収容された通信装置などが動作することにより、それら各機器が熱を帯びてしまう。そのため、動作している各機器を冷却する必要がある。
そこで、空気調和装置６の下面６ｂの吹出口から、内部空間５に冷却用空気を吹き出す。この冷却用空気は、内部空間５を通って、孔あきパネル７の複数の孔から上方（通路４の空間）に吹き出される。そして、通路４の空間に送られた冷却用空気は、ラック３の前面３ｂの給気口から給気され、熱交換作用により、各機器を冷却する。これにより、給気された空気は、暖められて温熱空気となる。その温熱空気は、ラック３の上面３ａ又は背面の吹出口から上方に吹き出される。さらに、吹き出された温熱空気は、電算機室１０１の上方空間を幅方向Ｗに流動し、空気調和装置６の上面６ａの吸引口から吸引され、冷却された後、再び下面６ｂの吹出口から吹き出される。
これにより、電算機室１０１内の空気の流れや温度がコントロールされ、各機器の良好な動作状態が維持される。
【００２３】
ところで、ラック３の上面３ａ又は背面から吹き出された温熱空気は、空気調和装置６に給気される前に、通路４の空間に還流されて、ラック３の前面３ｂから給気されてしまう場合がある。
しかし、本実施形態においては、ラック３の上面３ａと天井Ｔとの高さ方向Ｈの間に、ロールスクリーン部１１１が配されており、ラック３の上方空間と通路４の空間とが仕切られていることから、ラック３の上面の温熱空気が通路４の空間に流動することが規制される。すなわち、通路４の空間は、二重床２の床上から天井Ｔにわたって、冷却用空気で常に満たされる。
【００２４】
さらに、通路４の冷却用空気が、ラック３に給気されることなく、ダイレクトに空気調和装置６に吸引されてしまう場合がある。
しかし、本実施形態においては、通路４の端部を塞ぐようにして、二重床２の床上と天井Ｔとの高さ方向Ｈの間に、ロールスクリーン部１１１が配されており、通路４の空間と空気調和装置６の設置空間とが仕切られていることから、通路４の冷却用空気が空気調和装置６の設置空間に流動することが規制される。
【００２５】
ここで、ラック３には、それぞれ高さ寸法の異なるものがあるので、上面３ａと天井Ｔとの間の距離寸法がそれぞれ異なることになる。そのため、異なる距離寸法に合わせてパネルのサイズを現場で修正加工し、それら修正加工したパネルを上面３ａと天井Ｔとに固定しようとすると、作業負担が大きくなってしまう。
本実施形態における仕切装置１１においては、ロールスクリーン部１１１を上方に引っ張ると、ロールスクリーン部１１１が収容部１１２から伸ばされる。そして、ラック３の高さ寸法がそれぞれ異なっていても、ロールスクリーン部１１１を天井Ｔまで伸ばし、エンドレール１１３を固定金具１６に固定することにより、ラック３の上方空間と通路４の空間とが直ちに仕切られる。
【００２６】
本実施形態における仕切装置１１においては、ラック３に振動が生じても、その振動に応じてロールスクリーン部１１１が変形することにより、それら振動によるラック３のそれぞれの変位が許容されるため、仕切装置１１及びラック３などに過度な荷重がかかることが防止される。
【００２７】
また、幅方向Ｗに隣り合うロールスクリーン部１１１同士の間の隙間が、遮蔽シート１５によって遮蔽されているため、隙間などを介して、ラック３の上方空間と通路４の空間との間における空気の流動が規制される。
【００２８】
以上より、本実施形態における電算機室用空調システム１００によれば、ラック３の高さ寸法に応じて、ロールスクリーン部１１１が高さ方向Ｈに伸縮することから、高さ寸法の異なるラック３であっても、迅速かつ容易にロールスクリーン部１１１を設けることができる。また、ロールスクリーン部１１１が伸縮することによって、ラック３の振動による変位が許容され、仕切装置１１、ラック３及び二重床２などに過度な荷重がかかることを防止することができることから、電算機室用空調システム１００の耐久性・信頼性を向上させることができ、長期間にわたって効果的に機器を冷却することができる。
また、幅方向Ｗに隣り合うロールスクリーン部１１１の隙間に、遮蔽シート１５が設けられていることから、ラック３の上方空間と通路４の空間との間における空気の流動を確実に規制することができ、冷却効率を向上させることができる。
【００２９】
なお、本実施形態において、遮蔽シート１５は、矩形状に形成されて面ファスナー１５ａによって、ロールスクリーン部１１１に着脱可能に取り付けられるとしたが、これに限ることはなく、その形状等は適宜変更可能である。例えば、図９に示すように、横断面がＨ状になるような遮蔽シート１５Ａとしてもよい。そして、Ｈ状のシートの間にロールスクリーン部１１１を入れて取り付けるようにしてもよい。
【００３０】
また、仕切装置１１がラック３の上面３ａに設けられるとしたが、これに限ることはなく、設置位置は適宜変更可能である。
例えば、図１０及び図１１に示すように、仕切装置１１が天井Ｔに設けられていてもよい。具体的には、収容部１１２が、上面３ａの上方の天井Ｔに、幅方向Ｗに向けられて固定されている。固定金具１６は、上面３ａに固定されている。そして、ロールスクリーン部１１１を収容部１１２から下方に引き出して、エンドレール１１３を固定金具１６に固定する。
なお、このとき、図２０に示すように、ラック３が一台撤去されていたとしても、天井Ｔに設置された収容部１１２からロールスクリーン部１１１を二重床２まで引き下げ、その二重床２に固定された固定金具１６にエンドレール１１３を固定することにより、通路４の空間とラック３の設置空間とを迅速かつ容易に仕切ることができる。なお、仕切装置１１を上下逆に設置しても同様の効果を奏することはいうまでもない。
また、図１２及び図１３に示すように、天井材が取り付けられておらず、天井スラブＴ１が、むき出しの場合でも、仕切装置１１の取り付けは可能である。すなわち、天井スラブＴ１の梁Ｔ２にわたって、グリッドストラクチャＧＳを取り付け、グリッドストラクチャＧＳに吊り金物Ｌを介して、天井材Ｔ３を取り付ける。これにより、天井材Ｔ３に、仕切装置１１又は固定金具１６を取り付けることができる。
また、図１４及び図１５に示すように、自立式の鉄骨フレームＦに仕切装置１１又は固定金具１６が取り付けられるようにしてもよい。すなわち、鉄骨フレームＦの中に、複数のラック３が配置される。そして、鉄骨フレームＦの上辺Ｆ１に、仕切装置１１又は固定金具１６が取り付けられる。
【００３１】
また、空気調和装置６の前方に設けられるエンドキャップとしての仕切装置１１ａについても、図１０から図１５に示すように、二重床２と天井Ｔとの取り付け位置を逆にしたり、天井材Ｔ３や鉄骨フレームＦなどに取り付けたりすることができることはいうまでもない。
【００３２】
（実施形態２）
次に、本発明の第２の実施形態について説明する。
図１６及び図１７は、本発明の第２の実施形態を示したものである。
図１６及び図１７において、図１から図１５に記載の構成要素と同一部分については同一符号を付し、その説明を省略する。
この実施形態と上記第１の実施形態とは基本的構成は同一であり、ここでは主として異なる点について説明する。
【００３３】
本実施形態における仕切装置１１Ａは、矩形箱状に延びる収容部１１２Ａと、蛇腹状の蛇腹スクリーン部（仕切体）１１１Ａとを備えている。蛇腹スクリーン部１１１Ａは、互い違いに折り畳まれて、収容部１１２Ａに収容される。そして、蛇腹スクリーン部１１１Ａは、スリット１１２Ｓ１を介して、収容部１１２Ａから出し入れすることができるようになっている。
さらに、収容部１１２Ａの長手寸法は、蛇腹スクリーン部１１１Ａの幅寸法よりも短くなっている。そのため、収容部１１２Ａの両端からは、蛇腹スクリーン部１１１Ａが長手方向に突出している。そして、幅方向Ｗに隣り合う蛇腹スクリーン部１１１Ａの両端は、重ね合わされて折り畳まれており、この重ね合わされた部分が面ファスナーなどにより互いに固定されるようになっている。
このような構成のもと、天井に固定された収容部１１２Ａから、スリット１１２Ｓ１を介して、適切な量の蛇腹スクリーン部１１１Ａを引っ張り出すことにより、上面３ａの上方空間と通路４の空間とが仕切られる。
【００３４】
以上より、本実施形態における電算機室用空調システム１００Ａによれば、上記第１実施形態と同様の効果を奏することができるだけでなく、上面３ａに固定金具を取り付けなくても、蛇腹スクリーン部１１１Ａを引っ張り出した状態で、蛇腹スクリーン部１１１Ａを自重により容易に固定することができる。また、固定金具に代えて、面ファスナーなどを設けることにより、蛇腹スクリーン部１１１Ａを簡易な構成により容易に固定することができる。
なお、仕切装置１１Ａを図１０から図１５に示すように、二重床２と天井Ｔとの取り付け位置を逆にしたり、天井部材Ｔ３や鉄骨フレームＦなどに取り付けたりすることができることはいうまでもない。
また、仕切装置１１Ａをエンドキャップとして空気調和装置６の前方に設置してもよい。
【００３５】
（実施形態３）
次に、本発明の第３の実施形態について説明する。
図１８は、本発明の第３の実施形態を示したものである。
図１８において、図１から図１７に記載の構成要素と同一部分については同一符号を付し、その説明を省略する。
この実施形態と上記第１の実施形態とは基本的構成は同一であり、ここでは主として異なる点について説明する。
【００３６】
本実施形態における仕切装置１１Ｂは、矩形状に延びる取付板１１２Ｂと、この取付板１１２Ｂに取り付けられたブラインド部（仕切体）１１１Ｂと、このブラインド部１１１Ｂの高さ調節を行うための操作部１１３ｂとを備えている。
取付板１１２Ｂは、天井に取り付けられるものである。そして、操作部１１３ｂを操作することにより、ブラインド部１１１Ｂが昇降し、所望の高さ位置で固定される。
【００３７】
以上より、本実施形態における電算機室用空調システム１００Ｂによれば、上記第１実施形態と同様の効果を奏することができるだけでなく、上面３ａに固定金具を取り付けなくても、ブラインド部１１１Ｂを容易に固定することができる。
なお、仕切装置１１Ｂを図１０から図１５に示すように、天井部材Ｔ３や鉄骨フレームＦなどに取り付けることができることはいうまでもない。
また、仕切装置１１Ｂをエンドキャップとして空気調和装置６の前方に設置してもよい。
【００３８】
（実施形態４）
次に、本発明の第４の実施形態について説明する。
図１９は、本発明の第４の実施形態を示したものである。
図１９において、図１から図１８に記載の構成要素と同一部分については同一符号を付し、その説明を省略する。
この実施形態と上記第１の実施形態とは基本的構成は同一であり、ここでは主として異なる点について説明する。
【００３９】
本実施形態における仕切装置１１Ｃは、厚さ方向に重ね合わされた板状のパネル（仕切体、板材）１１１Ｃ，１１２Ｃと、スライド支持部１１３Ｃと、取付部１１４Ｃとを備えている。
パネル１１１Ｃは、取付部１１４Ｃを介して上面３ａに立てられた状態で固定される。パネル１１１Ｃの一方の主面には、高さ方向Ｈに向けられた一対のスライド支持部１１３Ｃが取り付けられている。これら一対のスライド支持部１１３Ｃは、幅方向Ｗに配列されている。そして、この一対のスライド支持部１１３Ｃによって、パネル１１２Ｃが、幅方向Ｗの両端において、高さ方向Ｈにスライド可能に支持されている。さらに、パネル１１２Ｃは、不図示の固定機構又は固定ねじなどによって、所望の高さ位置に固定される。
【００４０】
以上より、本実施形態における電算機室用空調システム１００Ｃによれば、上記第１実施形態と同様の効果を奏することができる。
なお、仕切装置１１Ｃを図１０から図１５に示すように、二重床２と天井Ｔとの取り付け位置を逆にしたり、天井部材Ｔ３や鉄骨フレームＦなどに取り付けたりすることができることはいうまでもない。
また、仕切装置１１Ｃをエンドキャップとして空気調和装置６の前方に設置してもよい。
なお、本発明の技術範囲は上記第１から第４の実施形態に限定されるものではなく、本発明の趣旨を逸脱しない範囲において、種々の変更を加えることが可能である。
【図面の簡単な説明】
【００４１】
【図１】本発明に係る電算機室用空調システムの第１の実施形態を示す全体構成図である。
【図２】図１の電算機室を側方から見た様子を示す側面図である。
【図３】図１の電算機室を通路の長手方向から見た様子を示す正面図である。
【図４】図１の仕切装置を示す分解斜視図である。
【図５】遮蔽シートを取り付けた様子を拡大して示す説明図である。
【図６】遮蔽シートを取り付けた様子を示す斜視図である。
【図７】ロールスクリーン部が出し入れされる様子を示す説明図である。
【図８】図７のロールスクリーン部を固定金具に固定した様子を示す説明図である。
【図９】遮蔽シートの変形例を示す斜視図である。
【図１０】図２の仕切装置の取り付けについて、第１の変形例を示す側面図である。
【図１１】図１０の電算機室を通路の長手方向から見た様子を示す正面図である。
【図１２】図２の仕切装置の取り付けについて、第２の変形例を示す側面図である。
【図１３】図１２の電算機室を通路の長手方向から見た様子を示す正面図である。
【図１４】図２の仕切装置の取り付けについて、第３の変形例を示す側面図である。
【図１５】図１４の電算機室を通路の長手方向から見た様子を示す正面図である。
【図１６】本発明に係る電算機室用空調システムの第２の実施形態を示す図であって、仕切装置を部分的に示す斜視図である。
【図１７】図１６の蛇腹スクリーン部の出し入れの様子を示す説明図である。
【図１８】本発明に係る電算機室用空調システムの第３の実施形態を示す図であって、仕切装置を示す斜視図である。
【図１９】本発明に係る電算機室用空調システムの第４の実施形態を示す図であって、仕切装置の出し入れの様子を示す説明図である。
【図２０】図１の仕切装置の取り付けについての変形例を示す説明図である。
【符号の説明】
【００４２】
３    ラック（機器収容用ラック）
３ａ  上面
３ｂ  前面
４    通路
５    内部空間
６    空気調和装置
１５  遮蔽シート(遮蔽体)
１００，１００Ａ，１００Ｂ，１００Ｃ  電算機室用空調システム
１０１  電算機室
１１１  ロールスクリーン部（仕切体）
１１１Ａ  蛇腹スクリーン部（仕切体）
１１１Ｂ  ブラインド部（仕切体）
１１１Ｃ，１１２Ｃ  パネル（仕切体、板材）
１１２，１１２Ａ  収容部
Ｔ  天井
【図１】
2010025451.tif 000003
【図２】
2010025451.tif 000004
【図３】
2010025451.tif 000005
【図４】
2010025451.tif 000006
【図５】
2010025451.tif 000007
【図６】
2010025451.tif 000008
【図７】
2010025451.tif 000009
【図８】
2010025451.tif 000010
【図９】
2010025451.tif 000011
【図１０】
2010025451.tif 000012
【図１１】
2010025451.tif 000013
【図１２】
2010025451.tif 000014
【図１３】
2010025451.tif 000015
【図１４】
2010025451.tif 000016
【図１５】
2010025451.tif 000017
【図１６】
2010025451.tif 000018
【図１７】
2010025451.tif 000019
【図１８】
2010025451.tif 000020
【図１９】
2010025451.tif 000021
【図２０】
2010025451.tif 000022